(57)【要約】  【課題】屋外で農作業や建築作業、スポーツ、スポーツ観戦などをする場合に、その時々の気象条件などに応じて、タオルの帽子類への取付け方によって、タオルの各種の使い方ができる万能型のタオルつき帽子を実現する。  【解決手段】帽子類の後部に左右一対の後部着脱器Ｌ・Ｒを取付けてあり、前部には、隣接して左右一対の前部着脱器ｌ・ｒを取付けてある。そして、この帽子類に着脱するタオルＴの片方の長辺中間に、前記の後部着脱器Ｌ・Ｒに着脱する一対の中間着脱器１、２を取付けてあり、帽子類の前部と対応する位置には、前記の前部着脱器ｌ・ｒに着脱するための一対の前側着脱器３、４を取付けてあるため、帽子Ｃの外周に後方からタオル上側の長辺９を巻き付けて装着し、取付けることで、着用者の顔部以外は、タオルＴで被われる。その結果、夏場は直射日光による日差しを防止でき、冬場は保温や風除けとして使用できる。【選択図】図１
2008240163.tif 000002
【特許請求の範囲】
【請求項１】
帽子類の後部に、単一の又は所定の間隔をおいて左右一対の後部着脱器を取付けてあり、
前部には、隣接して左右一対の前部着脱器を取付けてあること、
この帽子類に着脱するタオルの片方の長辺中間に、前記の後部着脱器に着脱する一対の中間着脱器を取付けてあり、
帽子類の前部と対応する位置には、前記の前部着脱器に着脱するための一対の前側着脱器を取付けてあること、
を特徴とするタオルつき帽子。
【請求項２】
前記タオルにおいて、
左右一対の中間着脱器の間に、一対のタオル同士着脱器を取付けてあり、
左右両端の短辺には、前記のタオル同士着脱器と着脱するための、短辺着脱器を取付けてあることを特徴とする請求項１に記載のタオルつき帽子。
【請求項３】
前記の一対の短辺着脱器の片方又は両方によって紐類を取付けてあることを特徴とする請求項１または請求項２に記載のタオルつき帽子。
【請求項４】
前記帽子類の一対の後部着脱器に、前記タオル長辺の中間着脱器を装着すると共に、
帽子類の一対の前部着脱器に、前記タオルの前側着脱器を装着してあることを特徴とする請求項１、請求項２または請求項３に記載のタオルつき帽子。
【請求項５】
前記タオルの左右両端の短辺着脱器を前記帽子類の一対のタオル同士着脱器にそれぞれ装着してなることを特徴とする請求項４に記載のタオルつき帽子。
【請求項６】
前記タオルの左右両端の短辺着脱器同士を装着して連結し、および／又は該短辺着脱器で取付けた紐類をタオルの外から首の周りに巻き付けて結束してなることを特徴とする請求項４に記載のタオルつき帽子。
【請求項７】
前記タオルを前記帽子類から取り外すと共に、広げて肩を被う状態とし、さらにタオル長辺の前側着脱器同士を首の前で互いに装着し連結してなることを特徴とする請求項１に記載のタオルつき帽子。
【請求項８】
請求項５に記載のように装着してあるタオルを帽子類からそのまま取り外した状態で、肩部に被せると共に、首の前で、タオルの前側着脱器同士を装着してなることを特徴とする請求項１に記載のタオルつき帽子。
【発明の詳細な説明】
【技術分野】
【０００１】
本発明は、タオルの帽子類への取付け方によって、タオルの各種の使い方が可能なタオルつき帽子に関する。
【背景技術】
【０００２】
帽子に日除け布などを装着してなる発明は、特許公開２００２−２７５７２２、特許公開２００６−０９７２０９、実用新案登録第３１１７７１９号、実用新案登録第３１１７９１６号、意匠登録第１２１５４２１号など、多数提案されている。また、特開2007-16325号には、頭頂部分と顔側日除けの部分を一体化し、後頭部側の日除け布二枚の間に耳部位からループで装着された可動可能で、消耗しやすい紐及至ゴムを付け替えやすくし、内側の一枚の布は顎下で結んだりマスクに代用、外側の一枚の布は顎下でマスクした内側の布を押さえたりあるいは後頭部で結ぶことができる多様性を持ちクールビズ対応の日除け帽子が提案されている。
【特許文献１】特許公開２００２−２７５７２２
【特許文献２】特許公開２００６−０９７２０９
【特許文献３】実用新案登録第３１１７７１９号
【特許文献４】実用新案登録第３１１７９１６号
【特許文献５】意匠登録第１２１５４２１号
【特許文献６】特開2007-16325号
【発明の開示】
【発明が解決しようとする課題】
【０００３】
ところが、特許文献６のような構造では、使い方が複雑で扱いにくい、使い方が単一で、多様性に欠けるなどの問題があり、普及が望めない。本発明の技術的課題は、このような問題に着目し、夏の日差しの強い環境や寒い冬場に、屋外で農作業や建築作業、スポーツ、スポーツ観戦などをする場合に、その時々の気象条件などに応じて、タオルの帽子類への取付け方によって、タオルの各種の使い方ができる万能型のタオルつき帽子を実現することにある。
【課題を解決するための手段】
【０００４】
本発明の技術的課題は次のような手段によって解決される。請求項１は、帽子類の後部に、単一の又は所定の間隔をおいて左右一対の後部着脱器を取付けてあり、前部には、隣接して左右一対の前部着脱器を取付けてあること、この帽子類に着脱するタオルの片方の長辺中間に、前記の後部着脱器に着脱する一対の中間着脱器を取付けてあり、帽子類の前部と対応する位置には、前記の前部着脱器に着脱するための一対の前側着脱器を取付けてあること、を特徴とするタオルつき帽子である。本発明では、帽子には、つば付きのキャップ、つば無しのハット、或いはヘルメットなどのすべての帽子類を含むものとし、頭に被る手段は総て含まれる。タオルには、手拭いなども含まれ、材質は問わない。
【０００５】
このように、帽子類Ｃの後部に、単一の後部着脱器又は所定の間隔をおいて左右一対の後部着脱器Ｌ・Ｒを取付けてあり、前部には、隣接して左右一対の前部着脱器ｌ・ｒを取付けてあるため、これら４か所の着脱器だけで、タオルを様々な形態で取付け使用できる。そして、この帽子類に着脱するタオルＴの片方の長辺中間に、前記の後部着脱器Ｌ・Ｒに着脱する一対の中間着脱器１、２を取付けてあり、帽子類の前部と対応する位置には、前記の前部着脱器ｌ・ｒに着脱するための一対の前側着脱器３、４を取付けてあるため、帽子Ｃの外周に後方からタオル上側の長辺９を巻き付けて装着し、取付けることで、図２の状態となり、帽子の着用者の顔部以外は、タオルＴで被われる。その結果、夏場は直射日光による日差しを防止でき、冬場は保温や風除けとして使用できる。
【０００６】
請求項２は、前記タオルにおいて、左右一対の中間着脱器の間に、一対のタオル同士着脱器を取付けてあり、左右両端の短辺には、前記のタオル同士着脱器と着脱するための、短辺着脱器を取付けてあることを特徴とする請求項１に記載のタオルつき帽子である。このように、前記タオルにおいて、左右一対の中間着脱器の間に、一対のタオル同士着脱器を取付けてあり、左右両端の短辺には、前記のタオル同士着脱器と着脱するための、短辺着脱器を取付けてあるため、左右両端の短辺の短辺着脱器をそれぞれ、タオル後部の一対のタオル同士着脱器に装着することによって、顔面の前にぶら下がっていたタオル左右の短辺１０、１１が、図４のように肩に被さる状態となるので、見苦しさが解消され、ファッショナブルとなる。また、タオル左右の短辺１０、１１が左右の肩の上に退避するので、視界も開けて、スポーツ観戦などにも好適となる。
【０００７】
請求項３は、前記の一対の短辺着脱器の片方又は両方によって紐類を取付けてあることを特徴とする請求項１または請求項２に記載のタオルつき帽子である。このように、前記の一対の短辺着脱器の片方又は両方によって、ゴム紐その他の紐類を取付けてあるため、図３のように、短辺着脱器７、８で取付けた紐１２、１３を、タオルＴの外側から首の周りに巻き付けて結束すると、タオル左右の不安定な短辺１０、１１が首回りに巻き付いた状態に締め付け固定され、しかも図３（２）のようにタオルの全長にわたって締め付けられるため、防寒がより確実になる。
【０００８】
請求項４は、図２のように、前記帽子類の単一の又は一対の後部着脱器Ｌ・Ｒに、前記タオル長辺の中間着脱器１、２を装着すると共に、帽子類の一対の前部着脱器ｌ・ｒに、前記タオルの前側着脱器３、４を装着してあることを特徴とする請求項１、請求項２または請求項３に記載のタオルつき帽子である。このように、前記帽子類の一対の後部着脱器Ｌ・Ｒに、前記タオル長辺の中間着脱器１、２を装着すると共に、帽子類の一対の前部着脱器ｌ・ｒに、前記タオルの前側着脱器３、４を装着してあるため、図２のような形態となり、帽子着用者の顔部以外がタオルＴで被われる。その結果、夏場は直射日光を遮蔽する日除けとなり、冬場は風除けとして使用できる。なお、紐などで締め付けないので、夏場の風通しは良好である。単一の後部着脱器Ｏを採用するときは、前記の中間着脱器１又は２を装着してもよいが、図１１のようにタオルＴのちょうど１／２位置に１個の中間着脱器ｍを設けることもできる。
【０００９】
請求項５は、図４のように、前記タオルの左右両端の短辺着脱器を前記帽子類の一対のタオル同士着脱器にそれぞれ装着してなることを特徴とする請求項４に記載のタオルつき帽子である。このように、前記タオルの左右両端の短辺着脱器を前記帽子類の一対のタオル同士着脱器にそれぞれ装着してあるため、図２のように顔面の前にぶら下がっていたタオル左右端の短辺１０、１１が後退して、図４のように肩に被さる状態となるので、見苦しさが解消され、ファッショナブルとなる。また、タオル左右の短辺１０、１１が左右の肩の上に退避するので、視界も開けて、スポーツ観戦などにも好適である。
【００１０】
請求項６は、前記タオルの左右両端の短辺着脱器同士を装着して連結し、および／又は該短辺着脱器で取付けた紐類をタオルの外から首の周りに巻き付けて結束してなることを特徴とする請求項４に記載のタオルつき帽子である。このように、前記タオルの左右両端の短辺着脱器同士を装着することで、タオル左右端の短辺１０、１１同士が互いに連結されるので、冬場の風除けや防寒がより効果的となる。また、該短辺着脱器で取付けた紐類をタオルの外から首の周りに巻き付けて結束すると、図３のように、横長のタオル全長を首周りに巻き付けた状態に固定されるため、防寒や保温がより確実となり、冬場の屋外での作業に好適である。
【００１１】
請求項７は、前記タオルを前記帽子類から取り外すと共に、広げて肩を被う状態とし、さらにタオル長辺の前側着脱器同士を首の前で互いに装着し連結してなることを特徴とする請求項１に記載のタオルつき帽子である。このように、前記タオルを前記帽子類から取り外すと共に、図６のように広げて肩を被う状態とし、さらにタオル長辺の前側着脱器同士を首の前で互いに装着し連結すると、塵埃などが肩に付着したりするのを防いだり、頭髪の手入れや洗髪などの際に肩や衣類が汚れたりするのを防止できる。
【００１２】
請求項８は、請求項５に記載のように装着してあるタオルを帽子類からそのまま取り外した状態で、肩部に被せると共に、首の前で、タオルの前側着脱器同士を装着してなることを特徴とする請求項１に記載のタオルつき帽子である。このように、帽子Ｃに装着してあるタオルを帽子Ｃからそのまま取り外した状態で、図７のように肩部に被せると共に、図８のように、首の前で、タオルの前側着脱器同士を互いに装着し連結すると、肩の冷えを防げると共に、ファッショナブルでもある。また、タオルＴを帽子Ｃから取り外した際の保管を兼ねることもできる。
【発明の効果】
【００１３】
請求項１のように、帽子類Ｃの後部に、単一の後部着脱器又は所定の間隔をおいて左右一対の後部着脱器Ｌ・Ｒを取付けてあり、前部には、隣接して左右一対の前部着脱器ｌ・ｒを取付けてあるため、これら４か所の着脱器だけで、タオルを様々な形態で取付け使用できる。そして、この帽子類に着脱するタオルＴの片方の長辺中間に、前記の後部着脱器Ｌ・Ｒに着脱する一対の中間着脱器１、２を取付けてあり、帽子類の前部と対応する位置には、前記の前部着脱器ｌ・ｒに着脱するための一対の前側着脱器３、４を取付けてあるため、帽子Ｃの外周に後方からタオル上側の長辺９を巻き付けて装着し、取付けることで、図２のように、帽子の着用者の顔部以外は、タオルＴで被われる。その結果、夏場は直射日光による日差しを防止でき、冬場は保温や風除けとして使用できる。
【００１４】
請求項２のように、前記タオルにおいて、左右一対の中間着脱器の間に、一対のタオル同士着脱器を取付けてあり、左右両端の短辺には、前記のタオル同士着脱器と着脱するための、短辺着脱器を取付けてあるため、左右両端の短辺着脱器をそれぞれ、タオル後部の一対のタオル同士着脱器に装着することによって、顔面の前にぶら下がっていたタオル左右の短辺１０、１１が、図４のように肩に被さる状態となるので、見苦しさが解消され、ファッショナブルとなる。また、タオル左右の短辺１０、１１が左右の肩の上に退避するので、視界も開けて、スポーツ観戦などにも好適となる。
【００１５】
請求項３のように、前記の一対の短辺着脱器の片方又は両方によって、ゴム紐その他の紐類を取付けてあるため、図３のように、短辺着脱器７、８で取付けた紐１２、１３を、タオルＴの外側から首の周りに巻き付けて結束すると、タオル左右の不安定な短辺１０、１１が首回りに巻き付いた状態に締め付け固定され、しかも図３（２）のようにタオルの全長にわたって締め付けられるため、防寒がより確実になる。
【００１６】
請求項４のように、前記帽子類の一対の後部着脱器Ｌ・Ｒに、前記タオル長辺の中間着脱器１、２を装着すると共に、帽子類の一対の前部着脱器ｌ・ｒに、前記タオルの前側着脱器３、４を装着してあるため、図２のように、帽子着用者の顔部以外がタオルＴで被われる。その結果、夏場は直射日光を遮蔽する日除けとなり、冬場は風除けとして使用できる。なお、紐などで締め付けないので、夏場の風通しは良好である。
【００１７】
請求項５のように、前記タオルの左右両端の短辺着脱器を前記帽子類の一対のタオル同士着脱器にそれぞれ装着してあるため、図２のように顔面の前にぶら下がっていたタオル左右端の短辺１０、１１が後退して、図４のように肩に被さる状態となるので、見苦しさが解消され、ファッショナブルとなる。また、タオル左右の短辺１０、１１が左右の肩の上に退避するので、視界も開けて、スポーツ観戦などにも好適である。
【００１８】
図２のように、前記の後部着脱器Ｌ・Ｒでタオルを装着した状態で、請求項６のように、前記タオルの左右両端の短辺着脱器同士を装着することで、タオル左右端の短辺１０、１１同士が互いに連結されるので、冬場の風除けや防寒がより効果的となる。また、該短辺着脱器で取付けた紐類をタオルの外から首の周りに巻き付けて結束すると、図３のように、横長のタオル全長を首周りに巻き付けた状態に固定できるため、防寒や保温がより確実となり、冬場の屋外での作業に好適である。
【００１９】
請求項７のように、前記タオルを前記帽子類から取り外すと共に、図６のように広げて肩を被う状態とし、さらにタオル長辺の前側着脱器同士を首の前で互いに装着し連結すると、塵埃などが肩に付着したりするのを防いだり、頭髪の手入れや洗髪などの際に肩や衣類が汚れたりするのを防止できる。
【００２０】
請求項８のように、帽子Ｃに装着してあるタオルを帽子Ｃからそのまま取り外した状態で、図７のように肩部に被せると共に、図８のように、首の前で、タオルの前側着脱器同士を互いに装着し連結すると、肩の冷えを防げると共に、ファッショナブルでもある。また、タオルＴを帽子Ｃから取り外した際の保管を兼ねることもできる。
【発明を実施するための最良の形態】
【００２１】
次に本発明によるタオルつき帽子が実際上どのように具体化されるか実施形態を説明する。図１は本発明によるタオルつき帽子で、（１）はタオルの正面図、（２）は帽子の平面図である。帽子Ｃの後部Ｂには、所定の間隔をおいて左右一対の後部着脱器Ｌ、Ｒを取付けてある。ただし、破線Ｏで示すように、両後部着脱器ＬとＲの間に１個だけ設けて、図１１のように代用することも可能である。帽子Ｃの前部Ｆには、隣接して、又は多少の間隔をおいて、左右一対の前部着脱器ｌ、ｒを取付けてある。１４は、帽子Ｃのつば部である。
【００２２】
この帽子Ｃの後部から前方に向けて巻き付けて着脱するタオルＴの上側の長辺９のほぼ中間位置に、帽子Ｃの後部着脱器Ｌ、Ｒに着脱するための一対の中間着脱器１、２を取付けてある。また、帽子Ｃに後方から巻き付けた際に帽子Ｃの前部Ｆと対応する位置には、前記の前部着脱器ｌ、ｒに着脱するための一対の前側着脱器３、４を取付けてある。さらに、左右一対の中間着脱器１、２の間に、一対のタオル同士着脱器５、６を取付けてあり、左右両端の短辺１０、１１には、前記のタオル同士着脱器５、６と着脱するための、短辺着脱器７、８を取付けてある。なお、下側の長辺１５には一切着脱器などは要しない。
【００２３】
以上の着脱器１〜８とＬ、Ｒ、ｌ、ｒは、図示例では、オス、メス型のホックを示したが、ボタン類やマジックテープ（登録商標）と呼ばれる面接着テープなどを用いてもよく、種類のいかんを問わない。また、鎖線で示すタオル中心線に対し、左側の着脱器と右側の着脱器とは、それぞれ互いに着脱できるように、オス型とメス型とがペアになっている。しかも、右側のタオル同士着脱器５と右側の短辺着脱器７とは、互いに着脱できるように、オス型とメス型とがペアになっており、左側のタオル同士着脱器６と左側の短辺着脱器８とは、互いに着脱できるように、オス型とメス型とがペアになっている。そして、一対の短辺着脱器７、８によって、紐類１２、１３をタオル短辺に重ねて取付けてある。なお、紐類１２、１３は、いずれか片方だけでも足りる。
【００２４】
次に、このタオルＴの使い方を説明する。図２は、タオルの基本取付け方で、まずタオルＴ上辺の一対の中間着脱器１、２を帽子の後部着脱器Ｌ、Ｒにそれぞれ装着し連結する。次いで、タオル上側の長辺９を帽子Ｃの後部から前方に巻き付けて、タオル右上の前側着脱器３を帽子の前部着脱器ｒに装着し連結する。同様にして、タオル左上の前側着脱器４を帽子の前部着脱器ｌに装着し連結する。したがって、タオルの中間着脱器１、２と帽子の後部着脱器Ｌ、Ｒとは互いにオス型とメス型とがペアになっており、タオルの前側着脱器３、４と帽子の前部着脱器ｒ、ｌとも互いにオス型とメス型とがペアになっている。
【００２５】
このように、帽子Ｃの外周に後方から前方に、タオル上側の長辺９を巻き付けて装着し、取付けると、図２の状態となり、帽子の着用者の顔部以外は、タオルＴで被われるので、夏場は直射日光による日差しを遮断でき、冬場は保温や風除けとして使用できる。夏場は風通しをよくするために、図２の状態のままがよいが、冬場に寒風を避けたり、風でタオルの左右の短辺１０、１１がめくれたりするのを防ぐには、左右端の短辺１０、１１の短辺着脱器７と８同士を首の前で装着し連結すると、左右端の短辺１０、１１の自由が拘束され、めくれたりするのを抑制できる。
【００２６】
さらに、図３のように、短辺着脱器７、８で取付けた紐１２、１３を、タオルＴの外側から首の周りに巻き付けて結束すると、隙間風が入らす、保温性も良くなるので、防寒がより確実になる。したがって、紐１２、１３はゴム紐なども適している。（１）図は前側から見た正面図、（２）図は背面図である。（２）図からも明らかなように、帽子背部の中間着脱器１と２との間隔が開いているので、中間着脱器１と２の間から女性のポニーテイル頭髪を取り出すこともできる。このとき、（２）図のように、中間着脱器１〜２の間隔を帽子の後部着脱器Ｌ〜Ｒの間隔より大きめにしておくと、ポニーテイルを引き出し易い。
【００２７】
これに対し、２個の後部着脱器Ｌ、Ｒに代えて、図１（２）に破線Ｏで示すように後部着脱器を１個だけにした場合は、図１１のように、帽子背面とタオル中間部との間が開かないので、女性のポニーテイルの取り出しは不可能である。なお、この場合は、図１（１）の一対のタオル同士着脱器５、６の間隔を開けた状態で、短辺着脱器７、８を装着してあり、タオル同士着脱器５と６間に設けた１個の着脱器ｍを、帽子の後部着脱器Ｏに装着してある。
【００２８】
夏場などにスポーツ観戦したりする場合は、図２のように左右の短辺１０、１１を垂らしたままでは、だらしなく見える恐れがある。そのため、図４、図５のように、タオルの左右の短辺１０、１１の背面の短辺着脱器７、８を、帽子Ｃ後部のタオル背面のタオル同士着脱器５、６にそれぞれ装着すると、タオルの左右の短辺１０、１１が後退して肩に被さる状態となるので、見苦しくならない。また、視界も開けるので、スポーツ観戦などにも好適である。図４は、斜め前方から見た状態、図５は斜め後方から見た状態で、図３（２）のタオル同士着脱器５、６の上に、タオル短辺１０、１１背面の短辺着脱器７、８が装着されている。
以上の説明や図からも明らかなように、互いに着脱される着脱器同士は、片方がオス型、他方がメス型になっている。
【００２９】
前記のタオルＴは、帽子Ｃから取り外した状態でもいろいろな使い方ができる。図６は、帽子Ｃから取り外したタオルＴを広げた状態で、後方から肩を被うように、肩に掛けた状態である。そして、タオル上側長辺９の前側着脱器３、４同士を首の前で装着し、連結してある。屋外作業などで、塵埃などが肩に付着したりするのを防いだりする場合に適している。あるいは、頭髪を手入れしたり洗髪したりする場合にも便利である。
【００３０】
図６のようにタオルを広げるのでなく、図４、図５のように帽子に装着した状態のまま、帽子から取り外して、そのまま図７のように肩にかけることもできる。このとき、図８のように、帽子の前部着脱器ｌ、ｒから外した前側着脱器３、４は、首の前で互いに装着し連結する。タオルを帽子から取り外した場合は、このような使い方をすると、肩の冷えを防げると共に、ファッショナブルでもある。
【００３１】
図９は、タオルを二つ折りにして首に巻いた状態であり、首の前で左右両端の短辺着脱器７と８同士を装着して連結すると共に、前側着脱器３と４同士も装着連結してあるので、２か所で強固に連結できる。図１０は、タオルの片側半分を首に巻いた状態で、片方の短辺着脱器７と中間着脱器２（又は片方の短辺着脱器８と中間着脱器１）を装着し連結することで、余った部分を前に垂らして、汗拭きなどに使用できる。帽子を被りたくない場合は、帽子の後部着脱器ＬやＲを、肩に被せたタオルの中間着脱器やタオル同士着脱器に装着し連結すると、完全にハンドフリーとなり、両手で作業したり、両手に荷物を持ったりでき、作業性が向上する。
【００３２】
以上の実施形態において、図１の帽子類ＣやタオルＴにおける着脱器をさらに増やすこともできる。例えば、タオルＴの帽子類Ｃへの装着が不安定と思われる場合は、帽子類の前後の着脱器ｒ〜Ｌ間、ｌ〜Ｒ間にタオル側着脱器を増設すると共に、タオルの前後の着脱器３〜１間、４〜２間にタオル側着脱器を増設しておくと、より安定よくタオルを帽子類の外周に巻き付け取付けることができる。なお、タオルには、和式の手拭いなども含まれるものとし、サイズや生地の材質は任意である。
【産業上の利用可能性】
【００３３】
以上のように、帽子類の後部に１個の又は左右一対の後部着脱器を、また前部には左右一対の前部着脱器をそれぞれ取付けてあり、この帽子類に着脱するタオルの上側の長辺中間に、前記の後部着脱器に着脱する１個の又は一対の中間着脱器を取付けてあり、帽子類の前部と対応する位置には、前記の前部着脱器に着脱するための一対の前側着脱器を取付けてあるため、タオルの様々な使い方が可能となり、夏の日差しの強い場合や寒い冬場に、屋外で農作業や建築作業、スポーツ、スポーツ観戦などをする場合に、その時々の気象条件などに応じた種々の使い方ができて、便利である。
【図面の簡単な説明】
【００３４】
【図１】本発明によるタオルつき帽子で、（１）はタオルの正面図、（２）は帽子の平面図である。
【図２】タオルの基本取付け方を示す斜視図である。
【図３】紐類で結束した状態で、（１）図は前側から見た正面図、（２）図は背面図である。
【図４】タオル短辺を帽子背部でタオル背面に連結した状態の前方斜視図である。
【図５】図４の状態の後方斜視図である。
【図６】タオルを広げて肩を被う状態にした正面図である。
【図７】帽子から取り外した状態のまま肩に被せた使い方の背面図である。
【図８】図７の使い方の正面図である。
【図９】タオルを二つ折りにして首に巻いた使い方を示す正面図である。
【図１０】タオルの片側半分だけを首に巻いた使い方を示す正面図である。
【図１１】帽子背面に１個の着脱器でタオル中間部を取付けた状態を示す背面図である。
【符号の説明】
【００３５】
Ｃ  帽子
Ｆ  前部
Ｂ  後部
Ｌ・Ｒ  左右一対の後部着脱器
ｌ・ｒ  左右一対の前部着脱器
Ｔ  タオル
１・２  一対の中間着脱器
３・４  一対の前側着脱器
５・６  一対のタオル同士着脱器
７・８  短辺着脱器
９  上側の長辺
１０・１１  左右両端の短辺
１２・１３  紐類
１４  つば部
【図１】
2008240163.tif 000003
【図２】
2008240163.tif 000004
【図３】
2008240163.tif 000005
【図４】
2008240163.tif 000006
【図５】
2008240163.tif 000007
【図６】
2008240163.tif 000008
【図７】
2008240163.tif 000009
【図８】
2008240163.tif 000010
【図９】
2008240163.tif 000011
【図１０】
2008240163.tif 000012
【図１１】
2008240163.tif 000013